(57)【要約】【課題】  処理量を増大させることなく、受信側でフレーム分割の有無が予め知らされていなくても、受信データをデコードできる無線システムを提供する。【解決手段】  送信側でＦＡＣＣＨの機能チャネルにおいて複数のフレームにデータを分割する場合は、ＳＡＣＣＨの機能チャネルも当該複数のフレームに分割して伝送し、受信側では、受信データについてＳＡＣＣＨにおいてデータ分割無しの場合のデータ分解を行って誤り検出を行い、誤り検出されなければ、ＦＡＣＣＨにおいてデータ分割無しと判定し、誤り検出されれば、ＳＡＣＣＨにおいて複数フレームで分割した場合のデータ分解を行って誤り検出を行い、誤り検出されなければ、ＦＡＣＣＨにおいて当該複数フレームで分割した場合であると判定する無線システムである。【選択図】        図１０
2011119887.tif 000002
【特許請求の範囲】
【請求項１】
第１の機能チャネルと、前記第１の機能チャネルに比べて情報ユニットが小さく、誤り検出を行う第２の機能チャネルとを用いてデータ転送を行う無線システムにおいて、
送信側で前記第１の機能チャネルにおいて複数のフレームにデータを分割する場合は、前記第２の機能チャネルも当該複数のフレームに分割して伝送し、
受信側では、受信データについて前記第２の機能チャネルにおいてデータ分割無しの場合のデータ分解を行って誤り検出を行い、誤り検出されなければ、前記第１の機能チャネルにおいてデータ分割無しと判定し、誤り検出されれば、前記第２の機能チャネルにおいて複数フレームで分割した場合のデータ分解を行って誤り検出を行い、誤り検出されなければ、前記第１の機能チャネルにおいて当該複数フレームで分割した場合であると判定することを特徴とする無線システム。
【発明の詳細な説明】
【技術分野】
【０００１】
本発明は、デジタル無線通信システムに係り、特に、受信側で予めフレーム分割数が分かっていなくても受信データを処理量を増大させることなくデコードできる無線システムに関する。
【背景技術】
【０００２】
［従来の技術］
デジタル無線通信システムでは、無線品質を改善するために、伝送するデータに誤り訂正符号化を行っている。しかしながら、フェージングの影響によって発生するバースト的な誤りに対しては十分な誤り訂正能力を発揮することができないことがあった。
【０００３】
そのため、誤り訂正符号化したブロックデータをインタリーブすることで、発生したバースト誤りを分散する技術が用いられている。
更に、バースト誤りを分散する技術として、インタリーブした情報ユニットを分割して複数のフレームに分散して伝送する方式がある。
【０００４】
［従来の通信用物理チャネルの信号フォーマット：図１１］
情報ユニットを２フレームに分割して伝送する例として、「都道府県・市町村デジタル移動通信システム（標準規格 ARIB STD-T79）のＦＡＣＣＨ（Fast Associated Control Channel）について図１１を参照しながら説明する。図１１は、通信用物理チャネル（上り）の信号ファーマットを示す図であり、都道府県・市町村デジタル移動システムで規定されている。
【０００５】
この通信ファーマットは、無線区間におけるデータのビット配置を規定しており、各種の機能チャネルと同期ワード（ＳＷ）やカラーコード（ＣＣ）といった情報ビットで構成されている。
ＦＡＣＣＨは、高速データ転送用の機能チャネルであり、高速データ伝送時に音声等を伝送するための機能チャネルであり、ＴＣＨ（Traffic Channel）の代わりに用いられる。
また、ＳＡＣＣＨ（Slow Associated Control Channel）は、低速データ転送用の機能チャネルでる。
【０００６】
［ＦＡＣＣＨの組立分解：図１２］
次に、ＦＡＣＣＨの組立分解について図１２を参照しながら説明する。図１２は、ＦＡＣＣＨの組立分解を示す図である。
図１２に示すように、ＦＡＣＣＨ１ユニットのデータは、構成情報（Ｗ）８ビット、ＦＡＣＣＨ情報９６ビット、固定ビット（Ｎ）３ビットの１０７ビットで構成される。
信号組立の際は、情報ユニット１０７ビットに誤り検出符号である１６ビットのＣＲＣ（Cyclic Redundancy Checking）符号化を行い、固定ビット５ビットを付加後に誤り訂正符号化（畳み込み符号化）を行い、２５６ビットのデータブロックを形成する。
【０００７】
次に、誤り訂正符号化したデータブロックを幅１６、深さ１６でインタリーブ処理を行う。つまり、幅１６ビットで書き込まれたデータブロックに対して、深さ１６ビットでデータ読み出しを行う。
もし、ＦＡＣＣＨを２フレームに配置しない場合は、インタリーブしたデータブロックを信号フォーマットのＦＡＣＣＨ部分に配置することになる。都道府県・市町村デジタル移動通信システムでは、ＦＡＣＣＨを２フレームに配置するため、インタリーブしたデータブロックを、更に１２８ビットずつ２分割して２フレームに配置する。
【０００８】
［２フレーム配置処理：図１３］
次に、ＦＡＣＣＨを２フレームに配置する詳細処理について図１３を参照しながら説明する。図１３は、ＦＡＣＣＨを２フレームに配置する処理を示す図である。
図１３に示すように、インタリーブ処理までの組立処理されたＦＡＣＣＨのデータブロックunit1を前半の１２８ビットu1(0)〜u1(127)と後半の１２８ビットu1(128)〜u1(255)に分割する。
【０００９】
前半の１２８ビットu1(0)〜u1(127)は、前回のフレームで組立処理されたデータブロックunit0の後半の１２８ビットu0(128)〜u0(255)とビット挿抜することで、現在のフレームの無線区間フォーマットunit01となる。今回送信するフレームデータは、図１１に示す信号フォーマットのＦＡＣＣＨ部分にunit01のデータブロックを配置する。
【００１０】
また、今回組立処理を行ったデータブロックunit1の後半の１２８ビットu1(128)〜u1(255)は次のフレームにて、次フレームで組立処理されたデータブロックunit2の前半の１２８ビットとビット挿抜して、次フレームの無線区間のＦＡＣＣＨデータブロックを構成するために使用される。
【００１１】
２フレームに配置されたＦＡＣＣＨを分解する際は、上記の組立手順の逆の処理となる。具体的には、受信したフレームデータを分解し、ＦＡＣＣＨの部分を抜き出し、ビット挿抜の逆の手順で１２８ビットデータを分割する。分割した前半部分のデータと前回のフレーム分割した後半部分のデータを統合してＦＡＣＣＨデータユニットを再生する。
その後、ディインタリーブ処理にて、インタリーブ処理により並べ替えられたデータを元の並びに戻し、誤り訂正符号の復号を行い、誤り検出符号の復号を行って、ＦＡＣＣＨの情報ユニットと受信データの誤り検出結果を得る。
【００１２】
［フレーム構成と同期ワード種別：図１４］
ＦＡＣＣＨを送信する際には、受信側でＦＡＣＣＨであることが判断できるように、同期ワードの種別をビット反転したものに変更して送信する。
ＦＡＣＣＨを送信する際のフレーム構成と同期ワード種別について図１４を参照しながら説明する。図１４は、ＦＡＣＣＨを送信する際のフレーム構成と同期ワード種別を示す図である。
【００１３】
図１４に示すように、通常、ＴＣＨで送信する際は、スロット番号毎にS0〜S3の同期ワードとなる。ＦＡＣＣＨを送信する際の同期ワードは、ＴＣＨの同期ワードをビット反転した−S0〜−S3となる。図１４では、フレーム（Ｎ-1）とフレーム（Ｎ）のスロット１でＦＡＣＣＨを送信しており、同期ワードS1のビット反転したものが設定される。
【００１４】
フレーム（Ｎ-1）のデータ構造は、フレーム（Ｎ-1）で組立処理したＦＡＣＣＨの前半部分とダミー信号（ＴＣＨ）をビット挿抜したものとなる。ここで、ダミー信号を用いるのは、前フレームでＦＡＣＣＨを送信していないため送信すべきデータが存在しないためである。
【００１５】
フレーム（Ｎ）のデータ構造は、フレーム（Ｎ）で組立処理したＦＡＣＣＨの前半部分とフレーム（Ｎ-1）のＦＡＣＣＨの残りの後半部分をビット挿抜したものとなる。フレーム（Ｎ＋１）のデータ構造は、フレーム（Ｎ）のＦＡＣＣＨの残りを送信するため、フレーム（Ｎ）のＦＡＣＣＨの後半部分とダミーデータ（ＴＣＨ）をビット挿抜したものとなる。
【００１６】
［関連技術］
尚、関連する先行技術として、特開２００７−４３５２４号公報「通信局装置」（出願人：株式会社日立国際電気：特許文献１）がある。
特許文献１には、通信局装置において、通信品質が所定の閾値を超える場合は、一の端末局装置から受信した音声符号化信号に対してＰＣＭ音声データへの変換と音声符号化信号への再変換を非実行とし、通信品質が所定の閾値未満である場合は、受信した音声符号化信号に対してＰＣＭ音声データへの変換と音声符号化信号への再変換を実行して他の端末局装置へ送信する中継送信手段を備えることが示されている。
【先行技術文献】
【特許文献】
【００１７】
【特許文献１】特開２００７−４３５２４号公報
【発明の概要】
【発明が解決しようとする課題】
【００１８】
しかしながら、従来の無線システムでは、通信品質を向上させるためには、情報を複数のフレームに分割及び分散して配置することは有効であるが、複数のフレームに分割したデータをデコードするためには、分割した全てのデータ、つまり、分割したデータを含む全てのフレームを受信してからでないと処理ができないため、データ転送に遅延が発生してしまうという問題点があった。
【００１９】
そこで、複数のフレームに分割する場合と分割しない場合とを任意に変更する方法があるが、受信側では受信した信号が複数のフレームに分割されているのかどうかを分かっていないと復号することができない。受信した同期ワード種別から判別する方法が考えられるが、同期ワードは誤り訂正符号化を行わずに伝送するため、誤りが発生した場合には、正しく判定することができないという問題点があった。
【００２０】
また、常に分割されている場合と分割されていない場合とを想定して、両方の場合で信号の分解を行う方法もあるが、ＦＡＣＣＨのようにユニットのデータ量が多い場合には、処理量が大きい誤り訂正復号処理を２回行わなければならず、処理負荷が増大するという問題点があった。
【００２１】
本発明は上記実情に鑑みて為されたもので、処理量を増大させることなく、受信側でフレーム分割の有無が予め知らされていなくても、受信データをデコードできる無線システムを提供することを目的とする。
【課題を解決するための手段】
【００２２】
上記従来例の問題点を解決するための本発明は、第１の機能チャネルと、第１の機能チャネルに比べて情報ユニットが小さく、誤り検出を行う第２の機能チャネルとを用いてデータ転送を行う無線システムにおいて、送信側で第１の機能チャネルにおいて複数のフレームにデータを分割する場合は、第２の機能チャネルも当該複数のフレームに分割して伝送し、受信側では、受信データについて第２の機能チャネルにおいてデータ分割無しの場合のデータ分解を行って誤り検出を行い、誤り検出されなければ、第１の機能チャネルにおいてデータ分割無しと判定し、誤り検出されれば、第２の機能チャネルにおいて複数フレームで分割した場合のデータ分解を行って誤り検出を行い、誤り検出されなければ、第１の機能チャネルにおいて当該複数フレームで分割した場合であると判定することを特徴とする。
【発明の効果】
【００２３】
本発明は、送信側で第１の機能チャネルにおいて複数のフレームにデータを分割する場合は、第２の機能チャネルも当該複数のフレームに分割して伝送し、受信側では、受信データについて第２の機能チャネルにおいてデータ分割無しの場合のデータ分解を行って誤り検出を行い、誤り検出されなければ、第１の機能チャネルにおいてデータ分割無しと判定し、誤り検出されれば、第２の機能チャネルにおいて複数フレームで分割した場合のデータ分解を行って誤り検出を行い、誤り検出されなければ、第１の機能チャネルにおいて当該複数フレームで分割した場合であると判定する無線システムとしているので、処理量を増大させることなく、受信側でフレーム分割の有無が予め知らされていなくても、受信データをデコードできる効果がある。
【図面の簡単な説明】
【００２４】
【図１】本発明の実施の形態に係る無線装置の構成ブロック図である。
【図２】本発明の実施の形態に係る無線装置のデータ処理部の構成図である。
【図３】ＦＡＣＣＨ符号化処理部の構成図である。
【図４】ＦＡＣＣＨ復号化処理部の構成図である。
【図５】ＳＡＣＣＨ符号化処理部の構成図である。
【図６】ＳＡＣＣＨ復号化処理部の構成図である。
【図７】ＳＡＣＣＨの組立分解を示す図である。
【図８】ＳＡＣＣＨを２フレームに配置する図である。
【図９】送信エンコード処理のフローチャートである。
【図１０】受信データコード処理のフローチャートである。
【図１１】通信用物理チャネル（上り）の信号ファーマットを示す図である。
【図１２】ＦＡＣＣＨの組立分解を示す図である。
【図１３】ＦＡＣＣＨを２フレームに配置する処理を示す図である。
【図１４】ＦＡＣＣＨを送信する際のフレーム構成と同期ワード種別を示す図である。
【発明を実施するための最良の形態】
【００２５】
本発明の実施の形態について図面を参照しながら説明する。
［実施の形態の概要］
本発明の実施の形態に係る無線システムは、情報ユニットの大きな機能チャネル（第１の機能チャネル）とは別に情報ユニットが小さく、誤り訂正及び誤り検出を行っている機能チャネル（第２の機能チャネル）を用い、送信側で複数フレームにデータを分散する場合は、第１の機能チャネルと同様に、第２の機能チャネルも当該複数フレームに分割して伝送し、受信側では、第２の機能チャネルを複数フレームで分割した場合と分割していない場合の両方の方式で分解を行い、それぞれの誤り検出の結果により第１の機能チャネルが複数フレームに分散されているかどうかを判定して、第１の機能チャネルにおけるフレームの分解処理を行うものであり、受信側がフレームの分割数を予め知らされていなくても、容易に受信データをデコードできるものである。
【００２６】
具体的に、本発明の実施の形態に係る無線システムは、送信側で高速データ転送用の第１の機能チャネル（ＦＡＣＣＨ）のフレーム分割に対応して低速データ転送用の第２の機能チャネル（ＳＡＣＣＨ）のフレームも同様に分割しておき、受信側で受信データにおける第２の機能チャネルを分割なしで分解して誤り検出を行い、誤りがなければフレーム分割なしと判定し、受信データにおける第１の機能チャネルをフレーム分割無しで分解し、また、誤りがあれば、複数の分割数でフレーム分割されたと判定し、受信データにおける第２の機能チャネルを当該分割数のフレーム配置で分解して誤り検出を行い、誤りがなければ、受信データにおける第１の機能チャネルを当該分割数のフレーム配置で分解して、受信データのデコードを行うものである。
【００２７】
［無線装置：図１］
本発明の実施の形態に係る無線装置について図１を参照しながら説明する。図１は、本発明の実施の形態に係る無線装置の構成ブロック図である。
本発明の実施の形態に係る無線装置（本装置）は、図１に示すように、端子１と、高周波部２と、復調部３と、データ処理部４と、音声処理部５と、スピーカ部６と、マイク部７と、変調部８と、制御部９と、入力部１０と、表示部１１とを基本的に有している。
【００２８】
［各部］
本装置の各部について具体的に説明する。
端子１は、アンテナからの入力信号を高周波部２に出力すると共に、高周波部２からの出力信号をアンテナに出力する。
高周波部２は、端子１からの入力信号（受信信号）を中間周波数に変換して復調部３に出力し、変調部８で変調された信号（送信信号）を中間周波数から所望の周波数に変換して端子１に出力する。
復調部３は、システムで採用されている変調方式に対応した復調処理を行い、データ処理部４に出力する。
【００２９】
［データ処理部４］
データ処理部４は、復調処理された受信信号のスロットタイミングを受信信号に含まれた同期ワードなどから判断すると共に、判断した各スロット内の受信データの復号化処理を行う。
また、データ処理部４は、音声処理されたデータについて符号化処理を行う。
【００３０】
具体的には、データ処理部４にける符号化処理は、通信状態に応じて定められたＦＡＣＣＨの分割フレーム数に従い、ＦＡＣＣＨを当該分割フレーム数で配置する組立処理を行い、更に、ＳＡＣＣＨを当該分割フレーム数で配置する組立処理を行う。
【００３１】
また、データ処理部４における復号化処理は、ＳＡＣＣＨを１フレーム配置で分解処理し、ＳＡＣＣＨの誤り検出を行い、誤りが無ければＦＡＣＣＨも１フレーム配置で分解処理を行う。また、誤りがあれば、ＳＡＣＣＨを２フレーム配置で分解処理し、ＳＡＣＣＨの誤り検出を行い、誤りが無ければＦＡＣＣＨも２フレーム配置で分解処理を行う。更に、誤りがあれば、ＳＡＣＣＨを３フレーム配置で分解処理し、ＳＡＣＣＨの誤り検出を行い、誤りが無ければＦＡＣＣＨも３フレーム配置で分解処理を行う。
データ処理部４における詳細な処理は後述する。
【００３２】
音声処理部５は、データ処理部４で復号処理された音声データを所定の音声信号に変換してスピーカ部６に出力する。
スピーカ部６は、音声処理部５から入力された音声信号を音声として出力する。
マイク部７は、入力された音声等を電気的音声信号に変換して音声処理部５に出力する。
変調部８は、データ処理部４から入力された送信信号をシステムで採用する変調方式で変調して高周波部２に出力する。
入力部１０は、指示等を入力して制御部９に出力する。
表示部１１は、制御部９からの制御データを表示する。
【００３３】
［制御部９］
制御部９は、データ処理部４で復号処理された制御データ等を入力し、送受信の状態設定や指令等の情報を例えば表示部１１に出力する。
また、制御部９は、入力部１０からの指示を入力し、復調部３、データ処理部４、音声処理部５、変調部８に対する制御を行う。
更に、制御部９は、データ処理部４内の回路（各部）から処理結果を入力し、各部に対する制御指示を出力する。
制御に９における処理フローについては後述する。
【００３４】
［データ処理部の構成：図２］
次に、本装置のデータ処理部４の構成について図２を参照しながら説明する。図２は、本発明の実施の形態に係る無線装置のデータ処理部の構成図である。
データ処理部４は、図２に示すように、受信信号のＦＡＣＣＨの復号化処理を行うＦＡＣＣＨ復号化処理部２０と、受信信号のＳＡＣＣＨの復号化処理を行うＳＡＣＣＨ復号化処理部３０と、送信信号のＦＡＣＣＨの符号化処理を行うＦＡＣＣＨ符号化処理部４０と、送信信号のＳＡＣＣＨの符号化処理を行うＳＡＣＣＨ符号化処理部５０とを有している。
尚、データ処理部４における受信信号のスロットタイミングを判定する処理部については説明を簡単にするために省略している。
【００３５】
［データ処理部の各部］
［ＦＡＣＣＨ符号化処理部４０：図３］
ＦＡＣＣＨ符号化処理部４０について図３を参照しながら説明する。図３は、ＦＡＣＣＨ符号化処理部の構成図である。
ＦＡＣＣＨ符号化処理部４０は、ＣＲＣ符号化部４１と、固定ビット挿入付加部４２と、畳み込み符号化部４３と、インタリーバ４４とを有している。
【００３６】
ＣＲＣ符号化部４１は、ＦＡＣＣＨの送信データについて誤り検出符号化の一種であるＣＲＣ符号化を行う。
固定ビット挿入付加部４２は、ＣＲＣ符号化されたデータに固定ビットを挿入付加する。
畳み込み符号化部４３は、固定ビットが挿入付加されたデータを畳み込み符号化を行う。
インタリーバ４４は、図１２で説明したインタリーブ処理を行う。
また、インタリーバ４４は、インタリーブ処理したデータをフレーム分割する場合は、制御部９から入力される分割数に応じたフレームに配置する処理を行う。
【００３７】
［ＦＡＣＣＨ復号化処理部２０：図４］
ＦＡＣＣＨ復号化処理部２０について図４を参照しながら説明する。図４は、ＦＡＣＣＨ復号化処理部の構成図である。
ＦＡＣＣＨ復号化処理部２０は、ディインタリーバ２１と、ビタビ復号化部（誤り訂正部）２２と、固定ビット除去部２３と、ＣＲＣ誤り検出部２４とを有している。
【００３８】
ディインタリーバ２１は、制御部９から入力されるフレーム分割数の情報に基づき、ＦＡＣＣＨの受信データをフレームデータ分解し、インタリーブとは逆の手順の処理となるディインタリーブ処理を行う。
ビタビ復号化部（誤り訂正部）２２は、ディインタリーブ処理されたデータをビタビ復号化（誤り訂正）する。
固定ビット除去部２３は、ビタビ復号化されたデータから固定ビットを除去する。
ＣＲＣ誤り検出部２４は、固定ビット除去されたデータについてＣＲＣ誤り検出処理を行う。
【００３９】
［ＳＡＣＣＨ符号化処理部５０：図５］
ＳＡＣＣＨ符号化処理部５０について図５を参照しながら説明する。図５は、ＳＡＣＣＨ符号化処理部の構成図である。
ＳＡＣＣＨ符号化処理部５０は、ＣＲＣ符号化部５１と、固定ビット挿入付加部５２と、バースト誤り訂正符号化部５３とを有している。
【００４０】
ＣＲＣ符号化部５１は、ＳＡＣＣＨの送信データについてＣＲＣ符号化を行う。
固定ビット挿入付加部５２は、ＣＲＣ符号化されたデータに固定ビットを挿入付加する。
バースト誤り訂正符号化部５３は、固定ビットが挿入付加されたデータについてバースト誤り訂正符号化を行う。
また、バースト誤り訂正符号化部５３は、制御部９から入力されるフレーム分割数の情報に基づいて送信データにおけるＳＡＣＣＨをフレーム配置する処理を行う。
【００４１】
［ＳＡＣＣＨ復号化処理部３０：図６］
ＳＡＣＣＨ復号化処理部３０について図６を参照しながら説明する。図６は、ＳＡＣＣＨ復号化処理部の構成図である。
ＳＡＣＣＨ復号化処理部３０は、バースト誤り訂正復号化部３２と、固定ビット除去部３３と、ＣＲＣ誤り検出部３４とを有している。
【００４２】
バースト誤り訂正復号化部３２は、制御部９からの指示（ＣＲＣ誤り検出部３４からの情報に対応した指示）に基づいてＳＡＣＣＨの受信データについて１フレーム若しくは複数フレームに分解処理してバースト誤り訂正復号化を行う。
具体的には、バースト誤り訂正復号化部３２は、制御部９からの誤りの有無の情報が入力されない場合は、１フレームとして分解処理を行い、そして、誤り無しの情報がＣＲＣ誤り検出部３４から制御部９に入力されると、制御部９はバースト誤り訂正復号化部３２に１フレーム配置の分散処理を指示し、バースト誤り訂正復号化部３２は、１フレームとして分解処理を行う。
また、誤り有りの情報がＣＲＣ誤り検出部３４から制御部９に入力されると、制御部９はバースト誤り訂正復号化部３２に２フレーム配置の分散処理を指示し、バースト誤り訂正復号化部３２は、２フレームとして分解処理を行う。
更に、複数フレームに分解処理する場合は、ＣＲＣ誤り検出部３４から誤り無しの情報が出力されるまで、分解処理を行う。
【００４３】
固定ビット除去部３３は、バースト誤り訂正復号化されたデータから固定ビットを除去する。
ＣＲＣ誤り検出部３４は、固定ビット除去されたデータについてＣＲＣ誤り検出処理を行い、誤りの有無を制御部９に出力する。そして、制御部９は、その誤りの有無の情報をバースト誤り訂正復号化部３２に出力する。
また、制御部９は、ＣＲＣ誤り検出部３４から誤り無しの情報が入力されると、そのときのバースト誤り訂正復号化部３２で分解処理したフレーム数をＦＡＣＣＨ復号化処理部２０のディインタリーバ２１に出力する。
【００４４】
［ＳＡＣＣＨの組立分解：図７］
まず、ＦＡＣＣＨのデータを複数フレームに分散させているかどうかを判定するための機能チャネルをＳＡＣＣＨとする。
ＳＡＣＣＨの組立分解について図７を参照しながら説明する。図７は、ＳＡＣＣＨの組立分解を示す図である。
【００４５】
ＳＡＣＣＨの情報ユニットを６ビットとし、情報ユニットに誤り検出符号化を行って１０ビットとする。誤り検出符号化を行ったデータブロックに誤り訂正符号化を行って２０ビットのデータブロックを作成する。７ビット以上のデータをＳＡＣＣＨで伝送する場合は、予め元のデータを６ビットずつに分割して伝送する。
ここで、ＳＡＣＣＨの機能チャネルは、１フレームで転送できる情報によって誤り検出の判定ができる必要がある。
【００４６】
［ＳＡＣＣＨを２フレームに配置：図８］
次に、ＳＡＣＣＨを２フレームに配置することについて図８を参照しながら説明する。図８は、ＳＡＣＣＨを２フレームに配置する図である。
組立後のＳＡＣＣＨデータ（図７において誤り訂正符号化されたデータ）について、ＦＡＣＣＨを２フレームに配置する命令がある場合は、ＳＡＣＣＨを２フレームに配置する処理を行う。
【００４７】
具体的には、組立後のＳＡＣＣＨデータを前半と後半に分割し、前のフレームの後半部分と現フレームの前半部分を結合して無線区間フォーマットを形成する。また、現フレームの後半部分と次のフレームの前半部分を結合して無線区間フォーマットを形成する。
ここで、ＳＡＣＣＨの誤り訂正符号がバースト誤り訂正符号であれば、ＦＡＣＣＨで行った２フレームに配置する際のビット挿抜の必要がないため処理量を減らすことができる。
【００４８】
［送信エンコード処理：図９］
次に、送信エンコード処理について図９を参照しながら説明する。図９は、送信エンコード処理のフローチャートである。
制御部９における送信エンコード処理は、まず、ＦＡＣＣＨ組立処理を開始させる（Ｓ１１）。そして、通信状態に応じて分割フレーム数を決定し（Ｓ１２）、ＦＡＣＣＨの転送フォーマットを確認し、２フレームに配置するのか否かを判定する（Ｓ１３）。
【００４９】
２フレーム配置であれば（Ｙｅｓの場合）、制御部９は、ＦＡＣＣＨ符号化処理部４０（インタリーバ４４）に対してＦＡＣＣＨを２フレームに配置するよう指示し（Ｓ１４）、２フレーム配置でなければ（Ｎｏの場合）、ＦＡＣＣＨ符号化処理部４０（インタリーバ４４）に対してＦＡＣＣＨを１フレームに配置するよう指示し（Ｓ１５）、ＦＡＣＣＨの組立処理を行わせる。
【００５０】
次に、制御部９は、ＳＡＣＣＨ組立処理を開始させる（Ｓ１６）。そして、ＳＡＣＣＨの転送フォーマットを確認し、２フレームに配置するのか否かを判定する（Ｓ１７）。判定処理Ｓ１７は、ＦＡＣＣＨで２フレームに配置した場合には、ＳＡＣＣＨも２フレームに配置し、ＦＡＣＣＨで１フレームに配置した場合には、ＳＡＣＣＨも１フレームに配置するよう判定する。
【００５１】
２フレーム配置であれば（Ｙｅｓの場合）、制御部９は、ＳＡＣＣＨ符号化処理部５０（バースト誤り訂正符号化部５３）に対してＳＡＣＣＨを２フレームに配置するよう指示し（Ｓ１８）、２フレーム配置でなければ（Ｎｏの場合）、ＳＡＣＣＨ符号化処理部５０（バースト誤り訂正符号化部５３）に対してＳＡＣＣＨを１フレームに配置するよう指示し（Ｓ１９）、ＳＡＣＣＨの組立処理を行わせ、通信用物理チャネル（上り）の信号フォーマットのフレームに配置させ（Ｓ２０）、処理を終了する。
【００５２】
［受信デコード処理：図１０］
次に、受信デコード処理について図１０を参照しながら説明する。図１０は、受信データコード処理のフローチャートである。
制御部９における受信デコード処理は、フレームデータを分解する処理を開始させ（Ｓ１）、まず、ＳＡＣＣＨ復号化処理部３０（バースト誤り訂正復号化部３２）に対してＳＡＣＣＨを１フレーム配置で分解処理するよう指示し（Ｓ２）、ＳＡＣＣＨ復号化処理部３０（バースト誤り訂正復号化部３２）でＳＡＣＣＨを１フレーム配置で分解処理を行わせる。そして、制御部９は、ＳＡＣＣＨ復号化処理部３０（ＣＲＣ誤り検出部３４）からのＳＡＣＣＨの誤り検出結果を確認し、誤りの有無を判定する（Ｓ３）。
【００５３】
ＳＡＣＣＨの誤りが無しである場合（Ｙｅｓの場合）、制御部９は、ＦＡＣＣＨ復号化処理部２０（ディインタリーバ２１）に対してＦＡＣＣＨを１フレーム配置で分解処理するよう指示し（Ｓ４）、ＦＡＣＣＨ復号化処理部２０（ディインタリーバ２１）でＦＡＣＣＨを１フレーム配置で分解処理を行わせる。また、ＳＡＣＣＨの誤りが有りである場合（Ｎｏの場合）、制御部９は、ＳＡＣＣＨ復号化処理部３０（バースト誤り訂正復号化部３２）に対してＳＡＣＣＨを２フレーム配置で分解処理するよう指示し（Ｓ５）、ＳＡＣＣＨ復号化処理部３０（バースト誤り訂正復号化部３２）でＳＡＣＣＨを２フレーム配置で分解処理を行わせる。
【００５４】
そして、制御部９は、ＳＡＣＣＨ復号化処理部３０（ＣＲＣ誤り検出部３４）からのＳＡＣＣＨの誤り検出結果を確認し、誤りの有無を判定する（Ｓ６）。
ＳＡＣＣＨの誤りが無しである場合（Ｙｅｓの場合）、制御部９は、ＦＡＣＣＨ復号化処理部２０（ディインタリーバ２１）に対してＦＡＣＣＨを２フレーム配置で分解処理するよう指示し（Ｓ７）、ＦＡＣＣＨ復号化処理部２０（ディインタリーバ２１）でＦＡＣＣＨを２フレーム配置で分解処理を行わせる。また、ＳＡＣＣＨの誤りが有りである場合（Ｎｏの場合）、処理を終了する。
【００５５】
送信エンコード処理及び受信デコード処理を制御部９が中心となって行うようにしたが、データ処理部４内で行うようにしてもよい。つまり、データ処理部４内の各部が判定処理等を行ってフレームの配置、フレームの分解等の処理を行うようにしてもよい。
【００５６】
［実施の形態の効果］
本実施の形態によれば、従来からある機能チャネルを使用すれば、新たな情報要素（情報ビットや機能チャネル）を追加することなく、その機能チャネルにおけるデータ転送を行いながら、更に、機能チャネルの組立分解処理による処理量を大きく増大させることなく実施でき、通信品質を確保し、使い勝手のよい通信システムを提供できる効果がある。
【産業上の利用可能性】
【００５７】
本発明は、処理量を増大させることなく、受信側でフレーム分割の有無が予め知らされていなくても、受信データをデコードできる無線システムに好適である。
【符号の説明】
【００５８】
１…端子、  ２…高周波部、  ３…復調部、  ４…データ処理部、  ５…音声処理部、  ６…スピーカ部、  ７…マイク部、  ８…変調部、  ９…制御部、  １０…入力部、  １１…表示部、  ２０…ＦＡＣＣＨ復号化処理部、  ２１…ディインタリーバ、  ２２…ビタビ復号化部、  ２３…固定ビット除去部、  ２４…ＣＲＣ誤り検出部、  ３０…ＳＡＣＣＨ復号化処理部、  ３２…バースト誤り訂正復号化部、  ３３…固定ビット除去部、  ３４…ＣＲＣ誤り検出部、  ４０…ＦＡＣＣＨ符号化処理部、  ４１…ＣＲＣ符号化部、  ４２…固定ビット挿入付加部、  ４３…折り畳み符号化部、  ４４…インタリーバ、  ５０…ＳＡＣＣＨ符号化処理部、  ５１…ＣＲＣ符号化部、５２…固定ビット挿入付加部、  ５３…バースト誤り訂正符号化部
【図１】
2011119887.tif 000003
【図２】
2011119887.tif 000004
【図３】
2011119887.tif 000005
【図４】
2011119887.tif 000006
【図５】
2011119887.tif 000007
【図６】
2011119887.tif 000008
【図７】
2011119887.tif 000009
【図８】
2011119887.tif 000010
【図９】
2011119887.tif 000011
【図１０】
2011119887.tif 000012
【図１１】
2011119887.tif 000013
【図１２】
2011119887.tif 000014
【図１３】
2011119887.tif 000015
【図１４】
2011119887.tif 000016